(57)【要約】【課題】十分な表示品質の立体表示を実現した表示装置を提供すること。【解決手段】横表示の３Ｄ表示が選択されると、バリアパネル８が駆動され、適視位置の左目Ｌｖには偶数画素列が選択的に観察されることになり、適視位置の右目Ｒｖには、奇数画素列が選択的に観察されることになる。よって、横表示の３Ｄ表示を行うことができる。左右いずれの画像においても、有効画素の間隔が画素の短辺方向分だけであるため、縞状感を抑制することができる。【選択図】図５
2011017825.tif 000002
【特許請求の範囲】
【請求項１】
第１方向および前記第１方向と交差する第２方向に配列された複数の画素からなる表示領域を有する表示パネルと、
偏光軸が異なる複数の偏光領域を有する複合位相差板と、
電気光学層を第１電極と第２電極とで挟持したバリアパネルと、を備え、
前記複数の偏光領域は、前記第１方向において、隣り合う２つの前記画素を跨いで配置されるとともに、前記第１方向および前記第２方向において互いに隣り合わない複数の第１偏光領域と複数の第２偏光領域とからなり、
前記第１電極は、前記第２方向において隣り合う２つの前記画素を跨ぐとともに、前記画素の前記第１方向における両端に配置された第１セグメント電極と、第２セグメント電極とからなり、複数の前記第１セグメント電極、および前記第２セグメント電極は、前記第１方向および前記第２方向において、交互に配置されるとともに、それぞれが電気的に接続されてなり、
前記第２電極は、前記第１方向に伸びる複数本のコモン電極から構成されるとともに、前記複数本のコモン電極は、前記第２方向において、それぞれが隣り合う２つの前記画素を跨いで交互に配置された第１コモン電極と第２コモン電極とからなり、奇数番目に現れる複数の前記第１コモン電極、および偶数番目に現れる複数の前記第２コモン電極は、それぞれが電気的に接続されてなり、
前記第１方向を基準として前記表示パネルの表示を行うときには、前記第１セグメント電極および前記第２セグメント電極と、前記第１コモン電極および前記第２コモン電極との間を全てオン、またはオフとし、
前記第２方向を基準として前記表示パネルの表示を行うときには、前記第１セグメント電極および前記第２セグメント電極のうちのいずれか一方と、前記第１コモン電極および前記第２コモン電極との間をオン、またはオフするように表示駆動することを特徴とする電気光学装置。
【請求項２】
前記表示パネルは、液晶パネルであり、前記表示領域を含む表面に配置された出射側偏光板と、裏面に配置された入射側偏光板とを含んで構成されてなり、
前記バリアパネルは、第１電極が形成された第１基板と、第２電極が形成された第２基板との間に、電気光学層としての液晶を挟持した液晶パネルであり、前記第１基板または前記第２基板の外面に配置されたバリア偏光板を含んで構成されてなり、
前記表示パネルの前記表面上に、前記複合位相差板と、前記バリアパネルとが、この順番で積層されてなり、
前記バリア偏光板が積層構造の最上部に配置されていることを特徴とする請求項１に記載の電気光学装置。
【請求項３】
前記第１方向を０度としたときに、
前記出射側偏光板の透過偏光軸は、約４５度に設定され、
前記複合位相差板の第１偏光領域の偏光軸は約９０度に設定されるとともに、第２偏光領域の偏光軸は約４５度に設定され、
前記バリアパネルのオフ時における液晶分子軸は、約９０度に設定され、
前記バリア偏光板の透過偏光軸は、約１３５度に設定されていることを特徴とする請求項２に記載の電気光学装置。
【請求項４】
前記第１方向を０度としたときに、
前記出射側偏光板の透過偏光軸は、約４５度に設定され、
前記複合位相差板の第１偏光領域の偏光軸は約９０度に設定されるとともに、第２偏光領域の偏光軸は約４５度に設定され、
前記バリアパネルのオフ時における液晶分子軸は、約０度に設定され、
前記バリア偏光板の透過偏光軸は、約１３５度に設定されていることを特徴とする請求項２に記載の電気光学装置。
【請求項５】
前記第１方向を０度としたときに、
前記出射側偏光板の透過偏光軸は、約４５度に設定され、
前記複合位相差板の第１偏光領域の偏光軸は約０度に設定されるとともに、第２偏光領域の偏光軸は約４５度に設定され、
前記バリアパネルのオフ時における液晶分子軸は、約９０度に設定され、
前記バリア偏光板の透過偏光軸は、約１３５度に設定されていることを特徴とする請求項２に記載の電気光学装置。
【請求項６】
前記第１方向において連続する３つの異なる色の前記画素によって１つのカラー画素が形成されてなり、
前記各電極は、前記カラー画素を１つの前記画素として前記配置されていることを特徴とする請求項１〜５のいずれか一項に記載の電気光学装置。
【請求項７】
前記第１方向を基準として表示を行うときには、前記第１偏光領域と前記第２偏光領域とのうち、いずれか一方と重なる部分に形成された複数の遮光部を有する遮光バリアに対応して、前記複数の画素において第１の市松模様を構成する前記画素に対して、左目画像と右目画像とのうち、いずれか一方が表示されるとともに、前記第１の市松模様と補完関係にある第２の市松模様を構成する前記画素に対しては、左目画像と右目画像とのうち、いずれか他方が表示されることを特徴とする請求項１〜６のいずれか一項に記載の電気光学装置。
【請求項８】
前記第２方向を基準として表示を行うときには、前記第２方向に連続する画素配列において、奇数番目の前記画素配列には左目画像と右目画像とのうちの一方が表示されるとともに、偶数番目の前記画素配列には左目画像と右目画像とのうちの他方が表示されることを特徴とする請求項１〜７のいずれか一項に記載の電気光学装置。
【請求項９】
請求項１〜８のいずれか一項に記載の電気光学装置を備えたことを特徴とする電子機器。
【発明の詳細な説明】
【技術分野】
【０００１】
本発明は、電気光学装置、および当該電気光学装置を搭載した電子機器に関する。
【背景技術】
【０００２】
従来、レンチキュラーレンズや、パララックスバリア（以降、「視差バリア」ともいう）を用いることにより、専用の眼鏡を用いることなく、立体画像を表示可能な電気光学装置（表示装置）が知られている。
例えば、特許文献１には、視差バリアとして液晶パネルを用いることが記載されている。詳しくは、液晶パネルに透過部（透明）と遮光部（黒表示）とからなるストライプ状の模様（視差バリア）を表示させることにより、液晶パネルを視差バリアとして機能させていた。
【０００３】
出願人等は、この技術をさらに発展させて、表示装置の姿勢に応じて縦表示用の視差バリアと横表示用の視差バリアとを切り換えることにより、縦横いずれの表示姿勢においても、立体（３Ｄ）画像を表示可能とした表示装置を提案している（特許文献２）。
図１９は、当該表示装置の姿勢に応じた視差バリア態様を示す概念図である。従来の表示装置３００は、複数の長方形の画素Ｐを備えた表示パネル７０上に、液晶パネルと複合位相差板とからなる視差バリア部１８０を重ねた構成となっていた。視差バリア部１８０は、図１９に示すように、画素Ｐの短辺方向（Ｘ軸方向）を基準とした表示姿勢（縦表示）の場合は、ハッチングで示した遮光部と、白抜きで示した透過部とからなる市松模様を表示させて縦視差バリア１８０ｔとなる。また、画素Ｐの長辺方向を基準とした表示姿勢（横表示）の場合は、Ｘ軸方向に連続する画素の配列を画素行としたときに、２つの画素行を跨ぐ帯状の遮光部を表示させて横視差バリア１８０ｙとなる。なお、図１９では、説明の都合上、縦視差バリア１８０ｔ、および横視差バリア１８０ｙを表示パネル７０から平面的に離して描いているが、実際は、重ねた状態となっている。
【０００４】
また、図示は省略しているが、視差バリア部１８０の構成に含まれる複合位相差板は、偏光軸が異なる２つの領域から構成されており、各領域はＸ軸方向に隣り合う２つの画素を跨いで配置されるとともに、Ｘ軸方向およびＹ軸方向において交互に配置されていた。
このような構成により、従来の表示装置３００は、縦表示、および横表示のいずれの表示姿勢においても、立体画像を表示可能としていた。特に、縦表示における縦視差バリア１８０ｔ態様を市松模様としたことにより、特許文献１で用いられていたストライプ状の視差バリアに起因する縞状感を解消していた。
また、縦表示、および横表示のいずれにおいても、視差バリア部１８０全面を略透明とすることにより、液晶パネルの全画素による平面（２Ｄ）表示を行うことも可能としていた。
【先行技術文献】
【特許文献】
【０００５】
【特許文献１】特開平７−２６１１１９号公報
【特許文献２】特許第４１１１２０６号公報
【発明の概要】
【発明が解決しようとする課題】
【０００６】
しかしながら、従来の表示装置では、横表示における立体表示が縞状となってしまうという課題があった。詳しくは、図２０の下段左側に示すように、左目Ｌｖには、画素行Ｐ21,Ｐ41…というように偶数番目の画素行が観察され、また、下段右側に示すように、右目Ｒｖには、画素行Ｐ11,Ｐ31…というように奇数番目の画素行が観察されていた。つまり、立体画像がストライプ状に観察されていた。特に、左右いずれの画像においても、Ｙ軸方向の有効画素が画素Ｐの長辺の長さ分、離間しているため、縞状感が目立っていた。
また、横視差バリア１８０ｙに形成される遮光部が完全なものではないため、左目画像が右目に、または右目画像が左目に観察されてしまう、いわゆるクロストークが生じてしまうという課題があった。詳しくは、図１９における遮光部の内部に示した領域ｎの部分の遮光性が十分でなく、光か漏れるためクロストークが生じてしまう。なお、領域ｎは、複合位相差板の偏光軸が異なる一方の領域に対応しており、光学設計上、当該領域の遮光性を完全にすることは困難であった。換言すれば、縦横表示それぞれにおける３Ｄ表示に加えて、各々における全画素の２Ｄ表示を実現するためには、全ての表示態様において完全な光学性能を確保することは困難であった。
このように、従来の表示装置では、立体表示において十分な表示品質を確保することが難しいという課題があった。
【課題を解決するための手段】
【０００７】
本発明は、上記課題の少なくとも一部を解決するためになされたものであり、以下の適用例又は形態として実現することが可能である。
【０００８】
（適用例）
第１方向および第１方向と交差する第２方向に配列された複数の画素からなる表示領域を有する表示パネルと、偏光軸が異なる複数の偏光領域を有する複合位相差板と、電気光学層を第１電極と第２電極とで挟持したバリアパネルと、を備え、複数の偏光領域は、第１方向において、隣り合う２つの画素を跨いで配置されるとともに、第１方向および第２方向において互いに隣り合わない複数の第１偏光領域と複数の第２偏光領域とからなり、第１電極は、第２方向において隣り合う２つの画素を跨ぐとともに、画素の第１方向における両端に配置された第１セグメント電極と、第２セグメント電極とからなり、複数の第１セグメント電極、および第２セグメント電極は、第１方向および第２方向において、交互に配置されるとともに、それぞれが電気的に接続されてなり、第２電極は、第１方向に伸びる複数本のコモン電極から構成されるとともに、複数本のコモン電極は、第２方向において、それぞれが隣り合う２つの画素を跨いで交互に配置された第１コモン電極と第２コモン電極とからなり、奇数番目に現れる複数の第１コモン電極、および偶数番目に現れる複数の第２コモン電極は、それぞれが電気的に接続されてなり、第１方向を基準として表示パネルの表示を行うときには、第１セグメント電極および第２セグメント電極と、第１コモン電極および第２コモン電極との間を全てオン、またはオフとし、第２方向を基準として表示パネルの表示を行うときには、第１セグメント電極および第２セグメント電極のうちのいずれか一方と、第１コモン電極および第２コモン電極との間をオン、またはオフするように表示駆動することを特徴とする電気光学装置。
【０００９】
この電気光学装置によれば、複合位相差板における第１偏光領域と第２偏光領域との光軸設定、およびバリアパネルのオフ時における液晶分子軸などを最適化することにより、第１方向を基準とした表示態様（縦表示）においては、従来の表示装置と同様な市松模様の縦遮光バリア（図１９）が形成される。
そして、第２方向を基準とした表示態様（横表示）においては、複合位相差板の光学作用に加えて、第１セグメント電極および第２セグメント電極のうちのいずれか一方と、第１コモン電極および第２コモン電極との間がオン、またはオフされる。
これにより、観察者の視点が適視位置にある場合には、第２方向に連続する画素配列（画素列）において、左目には奇数番目の画素列と偶数番目の画素列とのうちいずれか一方が、右目にはいずれか他方がそれぞれ選択的に観察されることになる。
よって、縞状感が目立っていた従来の表示装置よりも、縞状感を抑制することができる。さらに、横表示においては、複合位相差板およびバリアパネルによる光学作用により、視差表示を実現しているため、遮光部が不完全であることに起因してクロストークが生じていた従来の表示装置よりも、適視位置におけるクロストークを低減することができる。
従って、十分な表示品質の立体表示を実現した電気光学装置を提供することができる。
【００１０】
また、表示パネルは、液晶パネルであり、表示領域を含む表面に配置された出射側偏光板と、裏面に配置された入射側偏光板とを含んで構成されてなり、バリアパネルは、第１電極が形成された第１基板と、第２電極が形成された第２基板との間に、電気光学層としての液晶を挟持した液晶パネルであり、第１基板または第２基板の外面に配置されたバリア偏光板を含んで構成されてなり、表示パネルの表面上に、複合位相差板と、バリアパネルとが、この順番で積層されてなり、バリア偏光板が積層構造の最上部に配置されていることが好ましい。
【００１１】
また、第１方向を０度としたときに、出射側偏光板の透過偏光軸は、約４５度に設定され、複合位相差板の第１偏光領域の偏光軸は約９０度に設定されるとともに、第２偏光領域の偏光軸は約４５度に設定され、バリアパネルのオフ時における液晶分子軸は、約９０度に設定され、バリア偏光板の透過偏光軸は、約１３５度に設定されていることが好ましい。
また、第１方向を０度としたときに、出射側偏光板の透過偏光軸は、約４５度に設定され、複合位相差板の第１偏光領域の偏光軸は約９０度に設定されるとともに、第２偏光領域の偏光軸は約４５度に設定され、バリアパネルのオフ時における液晶分子軸は、約０度に設定され、バリア偏光板の透過偏光軸は、約１３５度に設定されていることが好ましい。
また、第１方向を０度としたときに、出射側偏光板の透過偏光軸は、約４５度に設定され、複合位相差板の第１偏光領域の偏光軸は約０度に設定されるとともに、第２偏光領域の偏光軸は約４５度に設定され、バリアパネルのオフ時における液晶分子軸は、約９０度に設定され、バリア偏光板の透過偏光軸は、約１３５度に設定されていることが好ましい。
【００１２】
また、第１方向において連続する３つの異なる色の画素によって１つのカラー画素が形成されてなり、各電極は、カラー画素を１つの画素として配置されていることが好ましい。
また、第１方向を基準として表示を行うときには、第１偏光領域と第２偏光領域とのうち、いずれか一方と重なる部分に形成された複数の遮光部を有する遮光バリアに対応して、複数の画素において第１の市松模様を構成する画素に対して、左目画像と右目画像とのうち、いずれか一方が表示されるとともに、第１の市松模様と補完関係にある第２の市松模様を構成する画素に対しては、左目画像と右目画像とのうち、いずれか他方が表示されることが好ましい。
また、第２方向を基準として表示を行うときには、第２方向に連続する画素配列において、奇数番目の画素配列には左目画像と右目画像とのうちの一方が表示されるとともに、偶数番目の画素配列には左目画像と右目画像とのうちの他方が表示されることが好ましい。
【００１３】
上記記載の電気光学装置を備えたことを特徴とする電子機器。
【図面の簡単な説明】
【００１４】
【図１】（ａ）、（ｂ）実施形態１に係る表示装置を備えた電子機器の一態様を示す図。
【図２】表示装置の概略構成を示す斜視図。
【図３】表示パネルの画素レイアウトの一部を示す平面図。
【図４】縦表示の３Ｄ表示における表示態様図。
【図５】横表示の３Ｄ表示における表示態様図。
【図６】表示装置の構成部位を示すブロック図。
【図７】複合位相差板における偏光領域配置を示す平面図。
【図８】各部の光軸設定の説明図。
【図９】（ａ）セグメント電極の平面配置図、（ｂ）コモン電極の平面配置図。
【図１０】（ａ）横表示の３Ｄ表示における右目の視線変移図、（ｂ）〜（ｄ）右目の視線変移にともなう観察態様の推移図。
【図１１】（ａ）横表示の３Ｄ表示における左目の視線変移を示す図、（ｂ）〜（ｄ）左目の視線変移にともなう観察態様の推移図。
【図１２】縦表示の２Ｄ表示における表示態様図。
【図１３】（ａ）縦表示の２Ｄ表示の基準視線における観察態様図、（ｂ）左目視線における観察態様図、（ｃ）右目視線における観察態様図。
【図１４】実施形態２に係る第１の各部の光軸設定の説明図。
【図１５】第２の各部の光軸設定の説明図。
【図１６】電子機器としての携帯電話を示す斜視図。
【図１７】変形例１に係る複合位相差板における偏光領域態様を示す平面図。
【図１８】変形例２に係る表示装置の概略構成を示す斜視図。
【図１９】従来の表示装置の姿勢に応じた視差バリア態様を示す概念図。
【図２０】従来の表示装置における横表示の表示態様図。
【発明を実施するための形態】
【００１５】
以下、本発明の実施形態について、図面を参照して説明する。なお、以下の各図においては、各層や各部位を図面上で認識可能な程度の大きさとするため、各層や各部位の縮尺を実際とは異ならしめている。
【００１６】
（実施形態１）
「表示装置の概要」
図１（ａ）、（ｂ）は、本実施形態に係る表示装置を備えた電子機器の一態様を示す図である。まず、本発明の実施形態１に係る表示装置１００の概要について、図１を用いて説明する。
【００１７】
図１（ａ）には、本実施形態に係る表示装置１００を搭載した携帯型のＭＭＰ（マルチメディアプレーヤー）５００が示されている。ＭＭＰ５００は、内蔵のハードディスクドライブや、メモリーデバイスなどに記憶されている音楽や、動画、写真などを再生可能に設けられている。
表示装置１００は、複数の操作ボタン７９や、長方形の表示領域Ｖを有する表示パネル（７０）を備えており、表示領域Ｖには、複数の画素が行列をなしてマトリックス状に配置されている。なお、図１（ａ）では、位置の基準となる基準画素Ｐ11のみ示している。また、表示領域Ｖの短辺の延在方向を第１方向としてのＸ軸、長辺の延在方向を第２方向としてのＹ軸としている。なお、詳しくは後述するが、基準画素Ｐ11を含む各画素も、略長方形をなしており、その長辺の延在方向がＹ軸、短辺の延在方向がＸ軸となっている。
【００１８】
ここで、図１（ａ）において、基準画素Ｐ11は、図面に向って表示領域Ｖの左上に位置し、基準画素Ｐ11から始まる画素行の延在方向はＸ軸（＋）方向となっている。また、基準画素Ｐ11を起点とした画素列の延在方向はＹ軸（−）方向となっている。
また、表示領域Ｖには、直立した人物の２次元画像ｊが表示されている。画像ｊの人物は、頭部を図面の上方（Ｙ軸（＋）方向）に向けて略正対した状態で表示されている。このＸ軸方向（第１方向）を基準とした表示姿勢のことを縦表示という。
【００１９】
図１（ｂ）は、縦表示となっていた表示領域Ｖを、紙面に向かって右方向に９０度回転させた、換言すれば、時計回りに９０度回転させた表示姿勢を示している。
また、長辺を図面の上方に向けた表示領域Ｖには、直立した人物の２次元画像ｊが頭部を図面の上方に向けて略正対した状態で表示されている。
このＹ軸方向（第２方向）を基準とした表示姿勢のことを横表示という。
図１（ｂ）に示すように、表示領域Ｖを横にした場合であっても、画像ｊは、頭部を上に向けて略正対した状態で表示されている。これが、表示装置１００の特徴の一つであり、表示領域Ｖにおける短辺方向、長辺方向のいずれを基準とした表示姿勢においても、画像が正対して表示されるように、表示駆動がなされている。換言すれば、縦表示、横表示のいずれの表示姿勢においても、正対した画像を表示可能となっている。
なお、縦表示と横表示の切り換えは、操作ボタン７９の操作により行うことができる。また、重力方向を検知する姿勢センサーを用いれば、縦横表示の切り換えを検知した重力方向に応じて、自動的に切り換えることも可能である。
【００２０】
また、上記説明においては、説明を簡略化するために２次元表示（２Ｄ表示）を用いて説明したが、表示装置１００によれば、縦表示および横表示のいずれの状態であっても、立体表示（３Ｄ表示）を行うことができる。より詳しくは、表示装置１００は、３Ｄ表示を主体に行うことを前提としており、文字情報などの２Ｄ表示の方が見易い場合のみ２Ｄ表示を行う用途に適している。これは、昨今の画像プロセッサーの高速化や、メモリーの大容量化に伴い、携帯電話などの小型電子機器であっても、容易に３Ｄ画像データの生成が可能になったこともあり、常時３Ｄ表示を楽しみたいというニーズの高まりに応えるためである。
なお、縦横表示における立体表示（３Ｄ表示）の詳細については後述する。
【００２１】
「表示装置の基本構成」
図２は、表示装置の概略構成を示す斜視図である。
ここでは、表示装置１００の基本構成について説明する。
表示装置１００は、バックライト（ＢＬ）６０、表示パネル７０、視差バリア部８０などから構成されている。また、表示装置１００の奥行き方向（厚さ方向）をＺ軸としている。表示装置１００は、ＢＬ６０を最下層（Ｚ軸（＋）側）として、表示パネル７０と、視差バリア部８０とを、この順番に積層した構成となっている。なお、図２では、説明を容易にするため各部を離して描いているが、実際は、密着して重ねられている。
【００２２】
ＢＬ６０は、導光板６１、光源６２などから構成された面発光装置である。導光板６１は、透明な板状部材であり、アクリルや、ポリカーボネートなどの透明樹脂、またはガラスなどから構成されている。
光源６２は、例えば、ＬＥＤ（Light Emitting Diode）や冷陰極管などが採用され、図２において導光板６１の一端面に対向して設けられている。なお、当該図面において光源６２は、棒状に描かれているが、複数のＬＥＤを一端面に沿って配置する構成であっても良い。また、光源６２は、導光板６１の一端面に沿って光を出射することができる構成であれば良く、例えば、無機または有機ＥＬ（Electro Luminescence）素子を光源として用いても良い。
ＢＬ６０は、光源６２から入射した略白色光を、導光板６１の中で反射を繰り返しながら、当該導光板の表示パネル７０と向い合う光射出面から出射する。
なお、導光板６１の光射出面側には拡散板を設け、また、裏面側には反射板を設けても良い。これにより、より光の利用効率を高めるとともに、より均一な光分布の照明光を出射することができる。
【００２３】
表示パネル７０は、複数の画素からなる表示領域Ｖを備えたアクティブマトリックス型の透過式のカラー液晶パネルである。表示パネル７０は、液晶パネル３、入射側偏光板４、出射側偏光板５などから構成されている。なお、透過式に限定するものではなく、透過表示が可能であれば良く、例えば、画素ごとに透過領域と反射領域とを備えた半透過反射型であっても良い。
液晶パネル３は、素子基板２ａと対向基板２ｂとの間に、液晶を挟持（封入）して形成されたＴＮ（Twisted Nematic）方式の液晶パネルである。なお、液晶パネルの種類は、ＴＮ方式に限定するものではなく、ＶＡ（Vertical Alignment）方式、またはＩＰＳ（In Plane Switching）方式、若しくはＦＦＳ（Fringe Field Switching）方式であっても良い。また、素子基板２ａの一辺は、対向基板２ｂから張出して形成されており、当該張出した張出し領域１１には、複数の画素を表示駆動するための駆動用ＩＣ１２が実装されている。
液晶パネル３の表裏面には、吸収型偏光板がそれぞれ配置されている。詳しくは、液晶パネル３の裏面（ＢＬ６０側）には、入射側偏光板４が配置されており、表面（視差バリア部８０側）には、出射側偏光板としての出射側偏光板５が配置されている。
【００２４】
視差バリア部８０は、複合位相差板６、バリアパネル８、バリア偏光板９などから構成された可変視差バリアであり、縦表示、および横表示の姿勢に応じて、それぞれ異なる視差バリアを形成する部位である。
バリアパネル８は、素子基板７ａと対向基板７ｂとの間に、電気光学層としての液晶層を挟持（封入）して形成されたＴＮ方式の液晶パネルである。なお、好適例として、液晶モードをノーマリーホワイトとしているが、ノーマリーブラックであっても良い。
素子基板７ａの内面には、複数のセグメント電極からなる第１電極が形成されている。
対向基板７ｂの内面には、複数のコモン電極からなる第２電極が形成されている。
視差バリア部８０は、このセグメント電極とコモン電極との間に、選択されている表示姿勢、および表示次元（２次元、または３次元表示）に対応した駆動電圧を印加することにより、それぞれの表示姿勢に相応しい視差バリアを形成する。なお、セグメント電極およびコモン電極の詳細については、後述する。
また、素子基板７ａの一辺は、対向基板７ｂから張出して形成されており、当該張出した張出し領域には、セグメント電極およびコモン電極を表示駆動するための駆動信号を供給するフレキシブル基板（図示せず）が接続されている。
【００２５】
図３は、表示パネルの画素レイアウトの一部を示す平面図である。
図３における画素配置は、表示原理の説明を容易にするために、表示領域Ｖ全体のうち、基準画素Ｐ11の周辺の画素を抜粋したものである。
図３は、図２において、縦表示の表示パネル７０をＺ軸（−）方向から正対して見たときの平面図であり、表示領域Ｖを構成する複数の画素がマトリックス状に配置されている。まず、表示パネル７０の表示領域Ｖにおける画素配置について説明する。
表示領域Ｖを構成する各画素Ｐは図３に向かって縦長の長方形をなし、その幅（短辺）は高さ（長辺）の約１／３に設定されている。ここで、画素行とは短辺方向に配列した画素配列を指し、また、画素列とは長辺方向に配列した画素配列のことを指している。
例えば、表示領域Ｖの最上段には、画素Ｐ11，Ｐ12，Ｐ13，Ｐ14…からなる画素行Ｐ11が延在している。また、画素行Ｐ11の一段下には、画素Ｐ21，Ｐ22，Ｐ23，Ｐ24…からなる画素行Ｐ21が形成されている。同様に、画素行Ｐ21の一段下には、画素行Ｐ31が形成され、その下側にも複数の同様な画素行が形成されている。
また、画素行と交差（略直交）する方向には、例えば、画素Ｐ11，Ｐ21，Ｐ31…からなる画素列Ｐ11が延在している。また、画素列Ｐ11の隣には、画素Ｐ12，Ｐ22，Ｐ32…からなる画素列Ｐ12が形成されている。
また、各画素は、隔壁（ブラックマトリックス）によって、格子状に区画されている。なお、図３においては、白抜きで示されているが、実際は黒色の遮光部材から形成されている。なお、前述した通り、図３を含む各図においては、画素行の延在方向をＸ軸とし、画素列の延在方向をＹ軸と定義している。換言すれば、画素Ｐの短辺方向をＸ軸とし、長辺方向をＹ軸としている。
【００２６】
画素行Ｐ11において、画素Ｐ11は赤色の画素Ｒ、画素Ｐ12は緑色の画素Ｇ、画素Ｐ13は青色の画素Ｂというように、３つの画素ごとにＲＧＢの色画素が繰り返し配置されている。また、他の画素行においても同様である。
また、画素列方向においては、画素Ｐ11から始まる画素列Ｐ11は、全ての画素が赤色の画素Ｒとなる。同様に、画素列Ｐ12は緑色の画素Ｇ、画素列Ｐ13は青色の画素Ｂというように、画素列の色調は、画素行Ｐ11における画素の色調と同一となっている。
ここで、画素行方向に隣り合うＲＧＢ色の３つの画素により略正方形をなした１つのカラー画素が形成される。例えば、画素行Ｐ11においては、まず、画素Ｐ11〜Ｐ13からカラー画素Ｃ11が形成される。同様に、画素Ｐ14〜Ｐ16からカラー画素Ｃ12が形成され、以下同様に、カラー画素Ｃ13〜Ｃ15が形成される。
また、画素行Ｐ21〜Ｐ51においても同様に、カラー画素Ｃ21〜Ｃ25、カラー画素Ｃ31〜Ｃ35、カラー画素Ｃ41〜Ｃ45、カラー画素Ｃ51〜Ｃ55が、それぞれ形成される。
また、カラー表示を行う表示パネル７０の画素単位はカラー画素が基準となるが、本実施形態においては、画素Ｐを「画素」、３つのサブ画素からなる画素Ｃを「カラー画素」と称して説明する。なお、画素のことを「サブ画素」、カラー画素のことを「画素」と言い換えても良い。このような表示領域Ｖの上に、視差バリア部８０が重ねられている。
【００２７】
「縦表示における３Ｄ表示」
図４は、縦表示における３Ｄ表示の表示態様を示す図である。
ここでは、縦表示における３Ｄ表示の表示態様について説明する。
まず、縦表示の３Ｄ表示が選択されている場合、従来の表示装置と同様な市松模様状の縦視差バリア部８０ｔが形成される。
詳しくは、図１９の上段に示すように、画素行Ｐ11と重なるバリア行では、ハッチングで示された遮光部がＸ軸方向に隣り合う２つの画素を跨いで配置されている。また、遮光部と白抜きで示された透過部とが交互に配置されている。また、Ｙ軸方向においても、遮光部と透過部とが交互に配置されている。
つまり、縦表示における縦視差バリア８０ｔは、遮光部（透過部）がチェック状の市松模様となるような態様となっている。
【００２８】
図４に戻る。
図４の上段には、図１（ａ）において、縦表示における表示装置１００をＹ軸（＋）方向から観察したときの表示装置１００の断面、および観察者の視点が示されている。
ここで、表示パネル７０には、各画素行において、左目用の画像データ「左」と、右目用の画像データ「右」とがＸ軸方向に交互に供給されている。また、左右の画像データは、Ｙ軸方向においても交互に供給されている。なお、このような左右の画像が合成された画像データは、縦表示が選択されると、後述の画像信号処理部などで生成されて、表示パネル７０に供給される。
そして、このように左右の画像データが表示されている表示パネル７０を、縦視差バリア８０ｔを介して観察すると、左目Ｌｖには、実線で示すように、左画素を透過し、画像データ「左」の階調に応じた明るさとなった表示光が、縦視差バリア８０ｔの透過部を介して観察される。換言すれば、右画素を透過し、画像データ「右」の階調に応じた明るさとなった表示光は、破線で示すように、縦視差バリア８０ｔの遮光部によって遮断されるため、左目Ｌｖには入射しない。
また、右目Ｒｖには、実線で示すように、右画素を透過し、画像データ「右」の階調に応じた明るさとなった表示光が、縦視差バリア８０ｔの透過部を介して観察される。換言すれば、左画素を透過し、画像データ「左」の階調に応じた明るさとなった表示光は、破線で示すように、縦視差バリア８０ｔの遮光部によって遮断されるため、右目Ｒｖには入射しない。
つまり、左目Ｌｖには左画素を透過した画像データ「左」によって表される左画像の表示光が入射し、右目Ｒｖには右画素を透過した画像データ「右」によって表される右画像の表示光が入射することになり、縦表示において３Ｄ表示が実現される。
【００２９】
なお、このように、左目Ｌｖには左画像が、右目Ｒｖには右画像が選択的に観察される視点の位置を適視位置という。例えば、表示領域Ｖのサイズが約３インチであった場合、画面正面から３０〜５０ｃｍ程度離れた位置が適視位置となり、適視角度範囲はＺ軸に対して、±約３０度の範囲内に設定される。また、横表示における３Ｄ表示も、同様な適視位置に設定されている。
なお、適視位置は、表示領域Ｖのサイズに応じて、表示パネル７０と、複合位相差板６と、バリアパネル８との厚さ方向の寸法設定や、各電極の平面サイズ、レイアウトなどを設定（設計）することにより、最適化することができる。
【００３０】
図４の下段左側には、左目Ｌｖにて視認される左画像の表示態様が示されている。具体的には、画素行Ｐ11では、Ｐ11,Ｐ13,Ｐ15,Ｐ17…というように奇数画素が観察されている。また、画素行Ｐ21では、Ｐ22,Ｐ24,Ｐ26,Ｐ28…というように偶数画素が観察されている。以下、図示は省略しているが、画素行ごとに奇数画素と偶数画素とが交互に入れ替って観察される。
つまり、左目Ｌｖには、市松模様をなした左画像が観察されることになる。
図４の下段右側には、右目Ｒｖにて視認される表示態様が示されている。具体的には、画素行Ｐ11では、Ｐ12,Ｐ14,Ｐ16,Ｐ18…というように偶数画素が観察されている。また、画素行Ｐ21では、Ｐ21,Ｐ23,Ｐ25,Ｐ27…というように奇数画素が観察されている。以下、図示は省略しているが、画素行ごとに偶数画素と奇数画素とが交互に入れ替って観察される。
つまり、右目Ｒｖには、市松模様をなした右画像が観察されることになる。
【００３１】
「横表示における３Ｄ表示」
図５は、横表示における３Ｄ表示の表示態様を示す図であり、図２０に対応している。
続いて、横表示における３Ｄ表示の表示態様について説明する。
図５の下段左側に示すように、横表示の３Ｄ表示が選択されている場合、左目Ｌｖの適視位置においては、奇数画素列が遮光部となる。また、下段右側に示すように、右目Ｒｖの適視位置においては、偶数画素列が遮光部となる。詳しくは、左目Ｌｖには、画素列Ｐ12，Ｐ14，Ｐ16…というように偶数画素列が選択的に観察される。そして、右目Ｒｖには、画素列Ｐ11，Ｐ13，Ｐ15…というように奇数画素列が選択的に観察される。なお、ここで、偶数画素列には左目用の画像データ「左」が供給され、奇数画素列には右目用の画像データ「右」がそれぞれ供給されている。換言すれば、Ｘ軸方向において、右目用の画像データ「右」と左目用の画像データ「左」とが、交互に供給される。
【００３２】
なお、図５の上段において、中心線Ｚ0は、表示領域Ｖの略中央を通るＺ軸に平行な線分であり、中心線Ｚ0上に観察者の頭部が位置している。換言すれば、観察者は表示領域Ｖに正対している。
つまり、左右の視点において共通のストライプ状の視差バリア（１８０ｙ）が形成されていた従来の表示装置（図１９）と異なり、本実施形態に係る横表示では共通の視差バリアは形成されず、左右の各視点における適視位置において、それぞれの視点画像が選択的に観察されることになる。なお、この表示態様の原理については、後述する。
また、適視位置における左目Ｌｖからの視線を矢印で視線ｍと示しており、視線ｍは中心線Ｚ0から角度θをなしている。同様に、適視位置における右目Ｒｖにからの視線を視線ｋと示しており、視線ｋは中心線Ｚ0から角度θをなしている。換言すれば、視線ｍと視線ｋとは、中心線Ｚ0に対して線対称となっている。
【００３３】
「回路ブロック構成」
図６は、表示装置の構成部位を示すブロック図である。
表示装置１００は、前述したＢＬ６０、表示パネル７０、視差バリア部８０に加えて、これらの部位を制御するためのＢＬ駆動部６３、画像信号処理部７１、制御部７３、バリアパネル駆動部８１などを備えている。
これらの制御部位は、表示パネル７０の張出し領域１１（図２）の駆動用ＩＣ１２などに内蔵されるか、または、張出し領域１１に接続されるフレキシブル基板などに実装されている。また、バリアパネル８の張出し領域においても同様である。
ＢＬ駆動部６３は、ＢＬ６０の光源６２（図２）の点灯および消灯を制御する駆動回路であり、制御部７３からの制御信号に従って当該制御を行う。
【００３４】
画像信号処理部７１は、画像プロセッサーであり、外部の画像信号供給装置９９から入力された画像データを液晶パネル３にて表示するのに適切な画像信号に変換する。画像信号処理部７１には、ＡＤコンバーター（図示せず）が内蔵されており、アナログＲＧＢ信号などのアナログ画像信号が入力された場合には、デジタル画像信号に変換する。
また、画像信号処理部７１には、フレームメモリー７２が附属している。フレームメモリー７２のデータ容量は、少なくとも左画像データ、および右画像データを格納可能な容量があることが好ましい。また、合成された視差画像データも格納できる容量があればより好ましい。
また、画像信号処理部７１は、制御部７３からの制御信号に従い、フレームメモリー７２を活用して、縦表示および横表示に対応した２Ｄ画像データ、および３Ｄ画像データを生成する。また、データの補完、または間引き、切り出しなどを含むスケーリング処理を司り、液晶パネル３の解像度に合わせた画像データを出力する。
【００３５】
制御部７３は、ＣＰＵ（Central Processing Unit）であり、各部の動作を制御する。また、制御部７３には、記憶部７５と、操作部７６とが附属している。
記憶部７５は、例えば、フラッシュメモリーなどの不揮発性のメモリーにより構成されている。記憶部７５には、液晶パネル３に供給する画像信号の縦横変換や、視差画像データの生成を行うための順序と内容を規定したプログラムを含み、表示装置１００の動作を制御するための様々なプログラムおよび付随するデータが記憶されている。
当該プログラムには、バリアパネル８の制御プログラムも含まれており、縦表示の場合には視差バリア部８０を図４の縦視差バリア８０ｔとするための、また、横表示の場合には、図５で説明したように、視差バリア部８０により左右視点の適視位置において、選択的に遮光部を形成するための制御信号をバリアパネル駆動部８１に送信する。
操作部７６は、複数の操作ボタン（図示せず）を含んで構成されており、当該操作ボタンの操作により、縦表示／横表示、または２Ｄ表示／３Ｄ表示を切換え可能に設けられている。
バリアパネル駆動部８１は、バリアパネル８の駆動回路であり、制御部７３からの制御信号に従って、バリアパネル８を駆動する。
【００３６】
「複合位相差板における偏光領域態様」
図７は、複合位相差板における偏光領域態様を示す平面図である。
ここでは、複合位相差板６における偏光領域の平面的な配置態様について説明する。
【００３７】
複合位相差板６は、互いに異なる偏光軸に設定された第１偏光領域としての偏光領域ｅ（位相差板）と、第２偏光領域としての偏光領域ｆ（位相差板）とを平面的に貼り合せた複合位相差板である。図７では、解り易くするため、偏光領域ｅを白抜きで示し、偏光領域ｆをドットハッチング示しているが、実際は一様に観察される。また、画素Ｐを破線で示している。
偏光領域ｅおよび偏光領域ｆは、画素行の延在方向において、画素行ごとに、隣り合う２つの画素Ｐを跨いで交互に配置されている。例えば、画素行Ｐ11と重なる領域においては、Ｘ軸（−）側から（＋）側に向かって、隣り合う２つの画素Ｐを跨いで配置された偏光領域ｅと偏光領域ｆとが交互に配列されている。また、画素行Ｐ21と重なる領域においては、Ｘ軸（−）側から（＋）側に向かって、隣り合う２つの画素Ｐを跨いで配置された偏光領域ｆと偏光領域ｅとが交互に配列されている。また、Ｙ軸方向においても、偏光領域ｅと偏光領域ｆとが交互に配列されている。
【００３８】
つまり、偏光領域ｅおよび偏光領域ｆは、Ｘ軸方向およびＹ軸方向において、互いに隣り合わないように配置されている。換言すれば、偏光領域ｅと偏光領域ｆとは、相互に補完し合う市松模様状にレイアウトされている。
また、偏光領域ｅおよび偏光領域ｆは、画素Ｐと略同サイズの長方形をなしており、Ｙ軸方向においては、画素行を跨がずに配置されている。
なお、偏光領域ｅおよび偏光領域ｆの偏光軸の設定については、後述する。
【００３９】
「各部の光軸設定、および表示態様について」
図８は、各部の光軸設定の説明図である。
ここでは、各部位の光軸設定、および当該光軸設定による表示態様について説明する。
また、以下の説明において各部位の偏光軸の角度はＸ軸（＋）方向を基準（０度）としている。図中の破線は、偏光板および位相差板の偏光軸の角度、または液晶パネルの液晶分子軸の角度を示している。また、実線の矢印は、透過光の偏光軸の角度を示している。
【００４０】
入射側偏光板４は、約１３５度の偏光軸を有している。
液晶パネル３は、入射側偏光板４から入射される約１３５度の偏光軸の光を画像信号に応じて光変調し、約４５度の偏光軸を有する光（表示光）として出射する。
出射側偏光板５は、約４５度の偏光軸を有している。
複合位相差板６の偏光領域ｅおよび偏光領域ｆは、各々が有する偏光軸を基準として、入射した光（光軸）に対してλ／２の位相差を付与する光学作用を有している。
詳しくは、偏光領域ｅは、約９０度の偏光軸を有しており、偏光領域ｆは、約４５度の偏光軸を有している。
【００４１】
バリアパネル８は、その液晶分子軸の角度が約９０度に設定されている。また、液晶層を挟持するセグメント電極とコモン電極との間における駆動電圧のオン／オフの切り換えにより、光の透過態様が異なることになる。
詳しくは、オンの場合は、入射する光を略その偏光軸のまま出射する。オフの場合は、液晶分子軸を基準として、入射した光（光軸）に対してλ／２の位相差を付与して出射する。
バリア偏光板９は、約１３５度の偏光軸を有している。
【００４２】
続いて、このような光軸設定による表示態様について説明する。
表示パネル７０を出射した光は、偏光領域ｅに入射する光と、偏光領域ｆに入射する光との２つに分岐する。そして、各偏光領域から出射した光は、それぞれバリアパネル８のオン／オフの切り換えにより２つに分岐することになる。
つまり、表示パネル７０を出射した光は、４つに分岐することになる。以下、この４つの光の進行ルートのそれぞれに（ｑ）〜（ｔ）の附番を附して説明する。なお、この４つのルートのことを表示ルートともいう。
まず、ＢＬ６０から出射された無偏光の照明光のうち、約１３５度の偏光軸を有する光が入射側偏光板４を透過して液晶パネル３に出射される。
液晶パネル３に入射した光は、偏光軸が９０度変化した状態で、約４５度の偏光軸を有する光として出射側偏光板５に出射される。
出射側偏光板５に入射された約４５度の偏光軸を有する光は、略そのままの状態で複合位相差板６に出射される。
【００４３】
複合位相差板６の偏光領域ｅに入射された約４５度の偏光軸を有する光は、偏光領域ｅの約９０度の偏光軸に対して線対称の偏光軸に変換されて、約１３５度の偏光軸を有する光としてバリアパネル８に入射する。
バリアパネル８がオフ状態となる表示ルート（ｑ）では、バリアパネル８に入射した偏光領域ｅからの約１３５度の偏光軸を有する光は、約９０度の液晶分子軸に対して線対称の偏光軸に変換されて、約４５度の偏光軸を有する光としてバリア偏光板９に出射される。そして、約１３５度の偏光軸を有するバリア偏光板９で吸収される。
また、バリアパネル８がオン状態となる表示ルート（ｒ）では、バリアパネル８に入射した偏光領域ｅからの約１３５度の偏光軸を有する光は、略そのままの状態でバリア偏光板９に出射される。そして、約１３５度の偏光軸を有するバリア偏光板９から、略そのままの状態で出射される。
【００４４】
複合位相差板６の偏光領域ｆに入射された約４５度の偏光軸を有する光は、約４５度の偏光軸を有する偏光領域ｆを略そのままの状態で透過してバリアパネル８に入射する。
バリアパネル８がオフ状態となる表示ルート（ｓ）では、バリアパネル８に入射した偏光領域ｆからの約４５度の偏光軸を有する光は、約９０度の液晶分子軸に対して線対称の偏光軸に変換されて、約１３５度の偏光軸を有する光としてバリア偏光板９に出射される。そして、約１３５度の偏光軸を有するバリア偏光板９を略そのままの状態で透過して出射される。
また、バリアパネル８がオン状態となる表示ルート（ｔ）では、バリアパネル８に入射した偏光領域ｆからの約４５度の偏光軸を有する光は、略そのままの状態でバリア偏光板９に出射される。そして、約１３５度の偏光軸を有するバリア偏光板９で吸収される。
【００４５】
つまり、表示パネル７０を出射した光は、その平面的な位置に応じて４つの表示ルートに分岐され、表示ルート（ｑ）では遮光、表示ルート（ｒ）では透過、表示ルート（ｓ）では透過、表示ルート（ｔ）では遮光されることになる。
表示装置１００では、この４つの表示ルート、およびバリアパネル８のセグメント電極とコモン電極とのレイアウトを組み合わせて、縦横表示それぞれにおける２Ｄ／３Ｄ表示を実現している。
【００４６】
「バリアパネルの電極態様」
図９（ａ）はセグメント電極の平面配置図であり、（ｂ）はコモン電極の平面配置図である。
ここでは、バリアパネル８におけるセグメント電極と、コモン電極の平面レイアウトについて説明する。
【００４７】
図９（ａ）では、第１電極としてのセグメント電極Ｓを実線で示し、画素Ｐを点線で示している。セグメント電極Ｓは、バリアパネル８の素子基板７ａの内面（液晶側）に形成された透明電極である。透明電極としては、ＩＴＯ（Indium Tin Oxide）膜や、ＺｎＯ（酸化亜鉛）膜を用いることができる。
セグメント電極Ｓは、第１セグメント電極としてのセグメント電極Ｓ１と、第２セグメント電極としてのセグメント電極Ｓ２とから構成されている。図９（ａ）では、セグメント電極Ｓ１を白抜きで示し、セグメント電極Ｓ２をハッチングで示しているが、実際は一様に観察される。
セグメント電極Ｓ１およびセグメント電極Ｓ２は、長方形をなしており、その長辺の長さは画素Ｐと略同じで、短辺の長さは画素Ｐの略半分程度に設定されており、短辺（Ｘ軸）方向において、画素Ｐの両端に配置されている。また、画素Ｐの長辺（Ｙ軸）方向においては、隣り合う２つの画素Ｐを跨いで配置されている。
【００４８】
そして、セグメント電極Ｓ１およびセグメント電極Ｓ２は、画素行の延在方向において、画素行ごとに、交互に配置されている。
例えば、画素行Ｐ11と重なる領域の上側半分（Ｙ軸（＋）側）においては、Ｘ軸（−）側から（＋）側に向かって、セグメント電極Ｓ１とセグメント電極Ｓ２とが交互に配列されている。また、画素行Ｐ11と重なる領域の下側半分（Ｙ軸（−）側）においては、Ｘ軸（−）側から（＋）側に向かって、セグメント電極Ｓ２とセグメント電極Ｓ１とが交互に配列されている。つまり、Ｙ軸方向においても、セグメント電極Ｓ１とセグメント電極Ｓ２とが交互に配列されている。
【００４９】
換言すれば、セグメント電極Ｓ１およびセグメント電極Ｓ２は、Ｘ軸方向およびＹ軸方向において、互いに隣り合わないように配置されている。言い換えれば、セグメント電極Ｓ１とセグメント電極Ｓ２とは、相互に補完し合う市松模様状にレイアウトされている。
また、複数のセグメント電極Ｓ１は、電気的に１つの電極として接続されている。換言すれば、全てのセグメント電極Ｓ１は、１つの信号線からの同じ駆動電圧で駆動される。同様に、複数のセグメント電極Ｓ２は、電気的に１つの電極として接続されている。換言すれば、全てのセグメント電極Ｓ２は、電気的に１つの信号線からの同じ駆動電圧で駆動される。
また、このような、セグメント電極Ｓ１およびセグメント電極Ｓ２は、例えば、フォトリソグラフィ技術を用いてエッチングによりパターニングして形成される。また、電極間のギャップ（間隙）は、２〜１０μｍの範囲内に設定されている。本実施形態では、好適例として、約５μｍに設定している。
【００５０】
続いて、コモン電極の平面レイアウトについて説明する。
図９（ｂ）では、第２電極としてのコモン電極Ｃを実線で示し、画素Ｐを点線で示している。コモン電極Ｃは、バリアパネル８の対向基板７ｂの内面（液晶側）に形成された透明電極であり、液晶を挟んで、セグメント電極Ｓと向い合って配置されている。なお、透明電極の材質は、セグメント電極Ｓと同様である。
コモン電極Ｃは、第１コモン電極としての複数本のコモン電極Ｃ１と、第２コモン電極としての複数本のコモン電極Ｃ２とから構成されており、画素列の延在方向（Ｙ軸方向）において、それぞれが隣り合う２つの画素行間を跨いで配置されている。
例えば、Ｙ軸（−）方向において隣り合う２つの画素行Ｐ11と画素行Ｐ21とを跨いで、Ｘ軸方向に帯状のコモン電極Ｃ２が延在している。また、当該コモン電極Ｃ２の隣（Ｙ軸（−）側）には、画素行Ｐ21と画素行Ｐ31とを跨いで、帯状のコモン電極Ｃ１がＸ軸方向に延在している。また、コモン電極Ｃ１、およびコモン電極Ｃ２の幅は、画素Ｐの長辺長さと略同じに設定されている。
以降、画素列の延在方向（Ｙ軸（−）方向）に向かって、コモン電極Ｃ２とコモン電極Ｃ１とが交互に配置されている。
つまり、コモン電極Ｃ１とコモン電極Ｃ２とは、Ｙ軸方向において、ストライプ状（交互）に配置されている。
【００５１】
また、複数本のコモン電極Ｃ１は、電気的に１つの電極として構成されている。換言すれば、複数本のコモン電極Ｃ１は、電気的に１つの信号線からの同じ駆動電圧で駆動される。同様に、複数本のコモン電極Ｃ２は、電気的に１つの電極として構成されている。換言すれば、全てのコモン電極Ｃ２は、電気的に１つの信号線からの同じ駆動電圧で駆動される。
また、コモン電極Ｃの形成方法や、電極間のギャップなどは、セグメント電極Ｓでの説明と同様である。
なお、素子基板７ａにセグメント電極Ｓが形成され、対向基板７ｂにコモン電極Ｃが形成される構成に限定するものではなく、素子基板７ａにコモン電極Ｃを形成し、対向基板７ｂにセグメント電極Ｓを形成する構成であっても良い。この構成であっても、同様に縦視差バリアおよび横視差バリアを形成することができる。
【００５２】
「縦視差バリアの形成方法」
ここでは、図４で説明した縦視差バリア８０ｔの形成方法について説明する。
縦表示の３Ｄ表示が選択されると、バリアパネル８が駆動されて縦視差バリア８０ｔが形成される。詳しくは、バリアパネル８のセグメント電極Ｓ１およびセグメント電極Ｓ２と、コモン電極Ｃ１およびコモン電極Ｃ２との間をオン状態とするための駆動電圧が各電極に印加される。換言すれば、バリアパネル８が全オン状態とされる。
これにより、図８の４つの表示ルートのうち、表示ルート（ｒ）と表示ルート（ｔ）とが選択される。詳しくは、表示ルート（ｒ）が選択された偏光領域ｅは透過とされ、表示ルート（ｔ）が選択された偏光領域ｆは遮光とされる。
つまり、図７において、偏光領域ｅを透過部とし、偏光領域ｆを遮光部とした縦視差バリアが形成される。この縦視差バリア８０ｔは、図１９の縦視差バリア１８０ｔと同じパターンであるが、図８の表示ルート（ｔ）における光の遮光状態は、略完全なものとなっているため、所期の遮光バリア性能を確保することができる。また、縦表示の３Ｄ表示における左右の画像データの供給方法などについては、図４での説明と同様である。
なお、オフ状態で位相差作用を生じないバリアパネル８を用いる場合には、バリアパネル８を全オフ状態とすることであっても良い。
【００５３】
「横表示における３Ｄ表示の原理」
図１０は、横表示の３Ｄ表示における表示原理の説明図であり、（ａ）は右目の視線変移を示す図であり、図５の上段図と対応している。図１０（ｂ）〜（ｄ）は、右目の視線変移にともなう観察（視認）態様の推移を示す図である。
ここでは、横表示の３Ｄ表示の表示原理について説明する。詳しくは、図５で説明したように、横表示の３Ｄ表示が選択された場合には、左右の各視点における適視位置において、それぞれの視点画像が選択的に観察されることになる。
【００５４】
まず、横表示の３Ｄ表示を行う場合には、バリアパネル８のセグメント電極Ｓ１およびセグメント電極Ｓ２のうちのいずれか一方と、コモン電極Ｃ１およびコモン電極Ｃ２との間をオン状態とするための駆動電圧が各電極に印加される。ここでは、セグメント電極Ｓ１と、コモン電極Ｃ１およびコモン電極Ｃ２との間をオン状態とするものとして説明する。なお、図１０ではコモン電極Ｃ１，Ｃ２の図示を省略している。これは、コモン電極Ｃ１，Ｃ２はともにオン選択となっており、セグメント電極のオン／オフ選択によってのみ所定の表示ルートが選択されるからである。
以下、図１０（ａ）において、右目Ｒｖ視点が、中心線Ｚ0と略一致した視線ｉから、視線ｊを経て、適視位置における視線ｋまで変移したときの各視点における視認態様について、順番に説明する。
図１０（ｂ）は、視線ｉから表示領域Ｖを観察したときの視認態様を示しており、破線は画素Ｐを表している。なお、当該図における画素Ｐa1，Ｐa2…、画素Ｐb1，Ｐb2…は、任意の連続する画素行の画素を示している。例えば、画素行Ｐ11、画素行Ｐ21の画素と読み替えることができる。また、実線で偏光領域ｅ，ｆ、およびセグメント電極Ｓ１，Ｓ２を示しており、これらには、図７，図９（ａ）と同じハッチングを付けている。コモン電極については図示を省略している。
また、Ｘ軸（＋）側を上方、（−）側を下方とし、Ｙ軸（＋）側を右側、（−）側を左側として以下説明する。
【００５５】
また、図１０（ｂ）においてセグメント電極Ｓ１，Ｓ２内に付された「○」「×」印は、上述したバリアパネル８のオン／オフによる透過部／遮光部を示している。
例えば、画素Ｐa1では、上方のセグメント電極Ｓ１と偏光領域ｅとが重なる部分に透過部を示す「○」印が付いている。これは、当該部が図８の表示ルート（ｒ）となっているからである。他方、当該セグメント電極Ｓ１の右側半分は偏光領域ｆと重なっているため、表示ルート（ｔ）となり、遮光部を示す「×」印が付いている。このように、セグメント電極Ｓ１と重なる部分においては、表示ルート（ｒ）、または表示ルート（ｔ）が選択される。
また、当該セグメント電極Ｓ１の下方のセグメント電極Ｓ２においては、画素Ｐa1および偏光領域ｆと重なる部分が表示ルート（ｓ）となり「○」印となっている。他方、当該セグメント電極Ｓ２の右側半分は偏光領域ｅと重なっているため、表示ルート（ｑ）となり「×」印が付いている。このように、セグメント電極Ｓ２と重なる部分においては、表示ルート（ｑ）、または表示ルート（ｓ）が選択される。
【００５６】
また、その他のセグメント電極Ｓ１，Ｓ２においても同様に「○」「×」印が付されており、例えば、画素Ｐa1では、画素の右側半分が「○」で、左側半分が「×」となっている。また、他の画素においても、画素の長辺方向の半分が透過部で、残りの半分が遮光部として観察される。
つまり、視線ｉにおいては、３Ｄ表示における右画像は観察されない。
【００５７】
次に、図１０（ｃ）を用いて、視線ｉよりも、適視位置の視線ｋに近い視線ｊにおける視認態様について説明する。
まず、バリアパネル８の駆動条件、および選択される表示ルートは、上記説明と同様であるが、視線を視線ｉから視線ｊに移動することにより、図１０（ｃ）に示すように、セグメント電極Ｓ１，Ｓ２の位置が、図１０（ｂ）の位置から左に動いた状態で観察されることになる。
これは、表示パネル７０の上方に、複合位相差板６と、セグメント電極（バリアパネル８）を重ねた構成、換言すれば、奥行きがある構成であるため、当該セグメント電極を右側から斜めに覗き込んだ際に、当該視点から見える領域が変わる（動く）からである。
【００５８】
これにより、例えば、画素Ｐa1では、画素の左側端部が「×」となっているが、大半が「○」となる。また、当該画素の左隣の画素Ｐb1でも、画素の大半が「○」となる。つまり、画素列Ｐa1の大半が視認可能な略透過状態となる。
他方、画素Ｐa2では、画素の左側端部が「○」となっているが、大半が「×」となっている。また、当該画素の左隣の画素Ｐb2でも、画素の大半が「×」となる。つまり、画素列Ｐa2の大半が視認困難な略遮光状態となる。
ここまでは、画素列Ｐa1と画素列Ｐa2との２つの画素列を事例にして説明したが、前述したように、各偏光領域、および各電極は、周期的に配置されているため、奇数の画素列は略透過状態として観察され、偶数の画素列は略遮光状態として観察されることになる。
【００５９】
最後に、図１０（ｄ）を用いて、適視位置の視線ｋにおける視認態様について説明する。当該図面に示すように、視線ｋにおいては、セグメント電極Ｓ１，Ｓ２の位置が、図１０（ｃ）の態様よりも、さらに左に動いた状態で観察される。
詳しくは、画素の長手方向の端部と、セグメント電極Ｓ１，Ｓ２の長手方向の端部とが、略一致した状態となっている。換言すれば、図１０（ｂ）におけるセグメント電極Ｓ１，Ｓ２の位置から、画素の長手方向の約半分、当該電極の位置が全体に左側にシフトした状態となっている。これは、セグメント電極を左右の適視位置から斜めに覗き込んだ際に、画素（偏光領域）の長手方向が略見えるように、複合位相差板や、セグメント電極を含む各部の厚さ方向の位置が設定されているからである。
これにより、画素Ｐa1では、画素の略全体が「○」となっている。また、当該画素の左隣の画素Ｐb1でも、画素の略全体が「○」となる。つまり、画素列Ｐa1の略全体が透過部となる。
他方、画素Ｐa2では、画素の略全体が「×」となっている。また、当該画素の左隣の画素Ｐb2でも、画素の略全体が「×」となる。つまり、画素列Ｐa2の略全体が遮光部となる。
このようにして、右目Ｒｖの適視位置の視線ｋにおいては、図５の下段右側に示すように、奇数画素列が選択的に観察されることになる。
【００６０】
図１１（ａ）は、左目の視線変移を示す図であり、図５の上段図と対応している。図１１（ｂ）〜（ｄ）は、左目の視線変移にともなう観察態様の推移を示す図である。
続いて、左目Ｌｖ視線における視認態様について説明する。詳しくは、図１１（ａ）において、左目Ｌｖが、中心線Ｚ0と略一致した視線ｉから、視線ｌを経て、適視位置における視線ｍまで変移したときの各視点における視認態様について、順番に説明する。なお、図１０の各図における説明と重複する説明は、省略する。また、図１１においても図１０と同様にコモン電極Ｃ１，Ｃ２の図示を省略している。この場合、表示ルートの選択がセグメント電極のオン／オフ選択に依存しているからである。
まず、図１１（ｂ）は、図１０（ｂ）と同一図面であり、この視線ｉにおいては、３Ｄ表示における左画像は観察されない。
【００６１】
次に、図１１（ｃ）を用いて、視線ｉよりも、適視位置の視線ｍに近い視線ｌにおける視認態様について説明する。
図１１（ｃ）に示すように、視線を視線ｉから視線ｌに移動することにより、セグメント電極Ｓ１，Ｓ２の位置が、視覚的に右に動いた状態で観察される。
これにより、例えば、画素Ｐa1では、画素の右側端部が「○」となっているが、大半が「×」となる。また、当該画素の左隣の画素Ｐb1でも、画素の大半が「×」となる。つまり、画素列Ｐa1の大半が視認困難な略遮光状態となる。
他方、画素Ｐa2では、画素の右側端部が「×」となっているが、大半が「○」となっている。また、当該画素の左隣の画素Ｐb2でも、画素の大半が「○」となる。つまり、画素列Ｐa2の大半が視認可能な略透過状態となる。
つまり、奇数の画素列は略遮光状態として観察され、偶数の画素列は略透過状態として観察されることになる。
【００６２】
最後に、図１１（ｄ）を用いて、適視位置の視線ｍにおける視認態様について説明する。当該図面に示すように、視線ｍにおいては、セグメント電極Ｓ１，Ｓ２の位置が、図１１（ｃ）の態様よりも、さらに視覚的に右に動くことになる。
詳しくは、画素の長手方向の端部と、セグメント電極Ｓ１，Ｓ２の長手方向の端部とが、略一致した状態となっている。換言すれば、図１１（ｂ）におけるセグメント電極Ｓ１，Ｓ２の位置から、画素の長手方向の約半分、当該電極の位置が全体に右側にシフトした状態となっている。
例えば、画素Ｐa1では、画素の略全体が「×」となっている。また、当該画素の左隣の画素Ｐb1でも、画素の略全体が「×」となる。つまり、画素列Ｐa1の略全体が遮光部となる。
他方、画素Ｐa2では、画素の略全体が「○」となっている。また、当該画素の左隣の画素Ｐb2でも、画素の略全体が「○」となる。つまり、画素列Ｐa2の略全体が透過部となる。
このようにして、左目Ｌｖの適視位置の視線ｍにおいては、図５の下段左側に示すように、偶数画素列が選択的に観察されることになる。
【００６３】
上述したように、横表示の３Ｄ表示においては、左右の各視点における適視位置で、それぞれの視点画像が選択的に観察されることになり、横表示の３Ｄ表示が実現される。
ここで、例えば、左目Ｌｖの適視位置の視線ｍにおいて奇数画素列に形成される遮光部は、図８の表示ルート（ｑ）および表示ルート（ｔ）から形成されるが、当該表示ルートにおける光の遮光状態は略完全なものとなっているため、所期の遮光性能を確保することができる。また、右目Ｒｖの適視位置の視線ｋにおいて偶数画素列に形成される遮光部についても、同様である。
【００６４】
「縦表示における２Ｄ表示」
図１２は、縦表示における２Ｄ表示の表示態様を示す図であり、図４、および図５に対応している。
ここまで説明したように、表示装置１００は、縦横表示における表示品位の高い３Ｄ表示を実現するための特徴ある構成を備えている。本実施形態の２Ｄ表示では、当該特徴ある構成を生かして、解像度の劣化を抑制した２Ｄ表示を実現している。詳しくは、一般的に２Ｄ表示では指向性表示を行わないが、縦表示の２Ｄ表示においても指向性表示的な表示方法を採用している。
【００６５】
まず、縦表示における２Ｄ表示が選択されると、液晶パネル３には、縦表示用の２Ｄ画像データ（通常の画像データ）が供給される。換言すれば、液晶パネル３の全画素には、２Ｄ画像を形成する平面的に連続したデータが供給される。
そして、バリアパネル８のセグメント電極Ｓ１およびセグメント電極Ｓ２と、コモン電極Ｃ１およびコモン電極Ｃ２のうちのいずれか一方との間をオン状態とするための駆動電圧が各電極に印加される。ここでは、コモン電極Ｃ２と、セグメント電極Ｓ１およびセグメント電極Ｓ２との間をオン状態とするものとして説明する。
このとき、図１２に示すように、観察者の左目Ｌｖ、および右目Ｒｖからの視線は、ともに適視位置にあるものとする。詳しくは、実線の矢印で示した各視線は、中心線Ｚ0から所定の角度をなして左右に振り分けられている。換言すれば、適視位置に応じた角度を有する左右の視線は、中心線Ｚ0に対して略線対称となっている。
【００６６】
この状態において、左目Ｌｖでは、図１２の左下に示すように、各画素の半分の領域が観察されることになる。例えば、画素Ｐ11では画素の上半分が観察され、画素Ｐ12では画素の下半分が観察される。同様に、画素行Ｐ11における奇数画素Ｐ11，Ｐ13，Ｐ15…では画素の上半分が観察され、偶数画素Ｐ12，Ｐ14，Ｐ16…では画素の下半分が観察されることになる。また、その他の画素行についても同様である。
また、右目Ｒｖでも、図１２の右下に示すように、各画素の半分の領域が観察されることになる。例えば、画素Ｐ11では画素の下半分が観察され、画素Ｐ12では画素の上半分が観察される。同様に、画素行Ｐ11における奇数画素Ｐ11，Ｐ13，Ｐ15…では画素の下半分が観察され、偶数画素Ｐ12，Ｐ14，Ｐ16…では画素の上半分が観察されることになる。また、その他の画素行についても同様である。
つまり、左右の各視点における適視位置において、互いに補完関係にある２Ｄ表示がそれぞれ選択的に観察されることになる。
【００６７】
図１３は、縦表示の２Ｄ表示における表示原理の説明図であり、（ａ）は中心線Ｚ0と略一致した視線における観察態様図である。（ｂ）は左目視線における観察態様図であり、図１２の左下図と対応している。（ｃ）は右目視線における観察態様図であり、図１２の右下図と対応している。なお、当該各図は、図１０（ｂ）を縦表示に合わせて９０度回転させた図面を基本とし、実線でコモン電極を追加したものである。よって、各部のハッチング態様、および「○」「×」を含む符号の意味などは、図１０における説明と同様である。
続いて、縦表示における２Ｄ表示の表示原理について説明する。なお、図１３において、Ｙ軸（＋）側を上方、（−）側を下方とし、Ｘ軸（＋）側を右側、（−）側を左側として説明する。
【００６８】
図１３（ａ）は、図１２の上段図の中心線Ｚ0と略一致した視線ｉからの観察態様図である。当該図において、画素Ｐa1では、上方半分がコモン電極Ｃ１と重なり、下方半分がコモン電極Ｃ２と重なっている。そして、画素Ｐa1の上方半分において、セグメント電極Ｓ１と偏光領域ｅとが重なる部分は図８の表示ルート（ｑ）となるため、「×」となる。また、当該セグメント電極の右隣のセグメント電極Ｓ２と偏光領域ｆとが重なる部分は表示ルート（ｓ）となるため、「○」となっている。
また、画素Ｐa1の下方半分において、セグメント電極Ｓ２と偏光領域ｅとが重なる部分は図８の表示ルート（ｒ）となるため、「○」となる。また、当該セグメント電極の右隣のセグメント電極Ｓ１と偏光領域ｆとが重なる部分は表示ルート（ｔ）となるため、「×」となっている。なお、図１３（ａ）の右側には、白抜きの矢印で示すように、各画素における透過部／遮光部（ハッチング）の態様を抜粋した図面（抜粋図）を示している。
つまり、図１３の抜粋図に示すように、画素行Ｐa1において、画素Ｐa1では、縦長の長方形画素における上方の左側半分、および下方の右側半分が遮光部となり、残りの部分が透過部となる。また、画素Ｐa2では、縦長の長方形画素における上方の右側半分、および下方の左側半分が遮光部となり、残りの部分が透過部となる。以下、同様に、奇数画素は画素Ｐa1の透過/遮光部パターンとなり、偶数画素は画素Ｐa2の透過/遮光部パターンとなる。また、その他の画素行についても同様である。
【００６９】
このように、視線ｉにおいては、図１２の下段で説明したような表示態様とはならないが、適視位置に観察者の左目Ｌｖ、および右目Ｒｖがある場合には、次のような表示態様が観察されることになる。
まず、適視位置の左目Ｌｖからは、図１３（ｂ）に示すように、偏光領域ｅ，ｆの輪郭と、画素Ｐの輪郭とが略一致した状態に観察される。詳しくは、偏光領域ｅ，ｆの位置が、図１３（ａ）と比べて、視覚的に略半画素分左側にシフトした状態で観察される。
これは、横表示の３Ｄ表示における表示原理と同様に、奥行きがある構成の表示装置１００を斜めから観察する際に視覚的に生じる現象である。詳しくは、セグメント電極を左右の適視位置から斜めに覗き込んだ際に、見える領域が約半画素分、右左にシフトするように、複合位相差板や、セグメント電極を含む各部の厚さ方向の位置が設定されているからである。
これにより、図１３（ｂ）に示すように、画素Ｐa1では、上方半分が透過部となり、下方半分が遮光部となる。また、画素Ｐa2では、上方半分が遮光部となり、下方半分が透過部となる。つまり、左目Ｌｖでは、図１２の下段左側に示されるパターンの２Ｄ表示が観察されることになる。
【００７０】
また、適視位置の右目Ｒｖからは、図１３（ｃ）に示すように、偏光領域ｅ，ｆの輪郭と、画素Ｐの輪郭とが略一致した状態に観察される。詳しくは、偏光領域ｅ，ｆの位置が、図１３（ａ）と比べて、視覚的に略半画素分右側にシフトした状態で観察される。
これにより、図１３（ｃ）に示すように、画素Ｐa1では、上方半分が遮光部となり、下方半分が透過部となる。また、画素Ｐa2では、上方半分が透過部となり、下方半分が遮光部となる。つまり、右目Ｒｖでは、図１２の下段右側に示されるパターンの２Ｄ表示が観察されることになる。
また、コモン電極Ｃ１と、セグメント電極Ｓ１およびセグメント電極Ｓ２との間をオン状態とした場合には、遮光部と透過部との位置が入れ替った状態、つまり、ポジネガ反転した状態となる。換言すれば、図１２において、左目Ｌｖでは下段右側に示されるパターンの２Ｄ表示が観察され、右目Ｒｖでは下段左側に示されるパターンの２Ｄ表示が観察されることになる。
【００７１】
「横表示における２Ｄ表示」
ここでは、横表示における２Ｄ表示の表示方法について説明する。
横表示における２Ｄ表示は、縦視差バリア８０ｔ（図４）を表示させた状態で、液晶パネル３に横表示用の２Ｄ画像データを供給することによって行われる。なお、縦視差バリア８０ｔを形成するためのバリアパネル８の駆動条件は、前述した通りである。
また、横表示用の２Ｄ画像データは、基本的には、縦表示用の２Ｄ画像データの読み出し方向を変えたものである。詳しくは、表示姿勢を縦表示から横表示に切り換えたとしても、液晶パネル３への画像データの書き込み（走査駆動）方向は変わらないため、同じ書き込み方向で書き込んだときに、横表示において画像が正対するような方向から画像データを読み出すことにより、横表示用の２Ｄ画像データを生成している。なお、この際、縦表示におけるアクセプト比と横表示におけるアクセプト比とが異なるため、適宜、スケーリング処理や、データの補間／間引き処理などが行われる。
【００７２】
例えば、図３に示すような、５行５列の縦表示用の２Ｄ画像データ（カラー画素Ｃ）を、横表示の２Ｄ表示画像データとして用いる場合には、次のような順番で読み出すことになる。なお、縦表示と横表示とにおけるアクセプト比、および画素数は、同一であるものとする。
この場合、図３の画像データが記憶されたフレームメモリーから、カラー画素データＣ15〜Ｃ55、次いでカラー画素データＣ14〜Ｃ54という順番、つまり、カラー画素データ列Ｃ15〜Ｃ11の順番で画素データを読み出し、読み出した順番通りに、液晶パネル３のカラー画素行Ｃ11〜Ｃ51に書き込むことになる。
このように、横表示における２Ｄ表示は、縦視差バリア８０ｔの透過部を介して表示を観察することになるが、現在用いられている液晶パネルの解像度は、一般的にＶＧＡ（640×480画素）以上であるため、実用上支障のない解像度の２Ｄ表示が得られる。
なお、縦視差バリア８０ｔを表示させた状態で、縦表示における２Ｄ表示を行っても良い。この場合も、実用上支障のない解像度で縦表示の２Ｄ表示を得ることができる。
【００７３】
上述した通り、本実施形態に係る表示装置１００によれば、以下の効果を得ることができる。
表示装置１００によれば、縦表示の３Ｄ表示が選択されると、バリアパネル８が全オン状態、または全オフ状態とされて縦視差バリア８０ｔが形成される。また、同期して、表示パネル７０の各画素行には、左目用の画像データ「左」と、右目用の画像データ「右」とがＸ軸方向に交互に供給される。よって、縦表示の３Ｄ表示を行うことができる。
また、縦表示における縦視差バリア８０ｔは、図１９の縦視差バリア１８０ｔと同じパターンであるが、図８の表示ルート（ｔ）における光の遮光状態は、略完全なものとなっているため、所期の遮光バリア性能を確保することができる。
【００７４】
さらに、横表示の３Ｄ表示が選択されると、バリアパネル８のセグメント電極Ｓ１およびセグメント電極Ｓ２のうちのいずれか一方と、コモン電極Ｃ１およびコモン電極Ｃ２との間をオン状態とするための駆動電圧が各電極に印加される。また、同期して、Ｘ軸方向において、右目用の画像データ「右」と左目用の画像データ「左」とが、交互に供給される。
これにより、適視位置の左目Ｌｖには、奇数画素列、または偶数画素列のいずれか一方が選択的に観察されることになり、適視位置の右目Ｒｖには、いずれか他方の画素列が選択的に観察されることになる。よって、横表示の３Ｄ表示を行うことができる。
特に、左右いずれの画像においても、有効画素が画素の長辺の長さ分離間していたため、横表示の３Ｄ表示に縞状感が目立っていた従来の表示装置よりも、有効画素の間隔が画素の短辺方向分だけであるため、縞状感を抑制することができる。
さらに、左右で選択的に観察される画像が補完関係になっているため、ストライプ状の視差バリアにより解像度が半分になっていた従来の表示装置よりも、視覚的な解像度が高い横表示の３Ｄ表示を行うことができる。
【００７５】
また、横表示の３Ｄ表示において、各視点において選択的に形成される遮光部は、光の遮光状態が略完全な図８の表示ルート（ｑ）および表示ルート（ｔ）から形成されるため、遮光部が完全ではなくクロストークが生じていた従来の表示装置よりも、表示品質の高い横表示の３Ｄ表示を行うことができる。換言すれば、従来の表示装置よりも、横表示の３Ｄ表示におけるクロストークを低減することができる。
特に、縦表示および横表示のいずれの３Ｄ表示も、図８の４つの表示ルートの組み合せによって実現されているが、いずれの表示ルートともに、略完全な遮光部、または透過部を形成できるため、適視位置において高品位な３Ｄ表示を実現することができる。
従って、十分な表示品質の立体表示を実現した表示装置１００を提供することができる。
【００７６】
さらに、縦表示における２Ｄ表示が選択されると、液晶パネル３には、縦表示用の２Ｄ画像データが供給される。また、同期して、バリアパネル８のセグメント電極Ｓ１およびセグメント電極Ｓ２と、コモン電極Ｃ１およびコモン電極Ｃ２のうちのいずれか一方との間をオン状態とするための駆動電圧が各電極に印加される。
これにより、図１２に示すように、左右の各視点における適視位置において、互いに補完関係にある２Ｄ表示がそれぞれ選択的に観察される。よって、縦表示の２Ｄ表示を行うことができる。
特に、左右で選択的に観察される画像が補完関係になっているため、視覚的な解像度が高い縦表示の２Ｄ表示を行うことができる。
また、縦視差バリア８０ｔ（図４）を表示させた状態で、液晶パネル３に横表示用の２Ｄ画像データを供給することにより、実用上支障のない解像度で横表示における２Ｄ表示を行うことができる。
従って、縦横表示それぞれにおいて、２Ｄ表示と高品位な３Ｄ表示とを実現した表示装置１００を提供することができる。
【００７７】
（実施形態２）
図１４、図１５は、各部の光軸設定の説明図であり、図８に対応している。
以下、本発明の実施形態２に係る各部の光軸設定について説明する。
実施形態１では、各部の光軸設定が図８の態様であるものとして説明したが、これに限定するものではなく、同様な光学作用が得られる光軸設定であれば良い。なお、以下説明する各部の光軸設定以外の構成は、実施形態１での説明と同様である。
ここでは、実施形態１における説明と重複する部分は省略し、差異がある部位の光軸設定を中心に説明する。また、同一の構成部位については同一の番号を附して説明する。
【００７８】
図１４は、本実施形態に係る第１の光軸設定の説明図であり、バリアパネル８ｓの光軸設定が図８と異なっている。換言すれば、バリアパネル８ｓ以外の光軸設定は、図８の光軸設定と同じである。なお、実施形態１のバリアパネル８と区別するために、本実施形態の光軸設定のバリアパネルの附番をバリアパネル８ｓとしている。
バリアパネル８ｓは、その液晶分子軸の角度が約０度に設定されている。これ以外の光学作用は、図８での説明と同様である。詳しくは、オンの場合は、入射する光を略その偏光軸のまま出射する。オフの場合は、液晶分子軸を基準として、入射した光（光軸）に対してλ／２の位相差を付与して出射する。
【００７９】
図１５は、本実施形態に係る第２の光軸設定の説明図であり、複合位相差板６ｓの偏光領域ｅｓおよび偏光領域ｆｓの光軸設定が図８と異なっている。換言すれば、複合位相差板６ｓの偏光領域ｅｓおよび偏光領域ｆｓ以外の光軸設定は、図８の光軸設定と同じである。なお、実施形態１の複合位相差板６、偏光領域ｅおよび偏光領域ｆと区別するために、本実施形態の光軸設定の複合位相差板に係る部位を複合位相差板６ｓ、偏光領域ｅｓおよび偏光領域ｆｓとしている。
複合位相差板６ｓの偏光領域ｅｓおよび偏光領域ｆｓは、各々が有する偏光軸を基準として、入射した光（光軸）に対してλ／２の位相差を付与する光学作用を有している。詳しくは、偏光領域ｅｓは、約９０度の偏光軸を有しており、偏光領域ｆｓは、約４５度の偏光軸を有している。
【００８０】
上述した通り、本実施形態によれば、実施形態１における効果に加えて、以下の効果を得ることができる。
これらの光軸設定であっても、図８の光軸設定と同じ光学作用を得ることができる。
詳しくは、図１４、図１５のいずれの光軸設定においても、表示ルート（ｑ）では遮光部、表示ルート（ｒ）では透過部、表示ルート（ｓ）では透過部、そして表示ルート（ｔ）では遮光部がそれぞれ形成される。
いずれの表示ルートともに、図８の光軸設定と同様に、略完全な遮光部、または透過部を形成することができる。
従って、縦横表示それぞれにおいて、２Ｄ表示と高品位な３Ｄ表示とを実現した表示装置１００を提供することができる。
【００８１】
（電子機器）
図１６は、上記表示装置を搭載した携帯電話を示す斜視図である。
上述の各実施形態に係る表示装置１００は、例えば、電子機器としての携帯電話４００に搭載して用いることができる。
携帯電話４００は、本体部３５０と、当該本体部に対して開閉自在に設けられた表示部３７０とを備えるとともに、表示装置１００を内蔵している。詳しくは、表示装置１００は、表示部３７０に組み込まれており、表示パネル７０が表示画面となっている。
また、本体部３５０には、複数の操作ボタンを有する操作部３６５が設けられており、当該操作ボタンには、表示装置１００の操作部７６（図６）の機能も含まれている。
従って、携帯電話４００によれば、縦横表示それぞれにおいて、２Ｄ表示と高品位な３Ｄ表示とを行うことができる。
【００８２】
また、携帯電話の態様は、図１６に示した折畳み式に限定するものではなく、表示パネルを備えた携帯電話であれば良い。
例えば、本体部３５０に対して表示部３７０が折畳み、および旋回可能に設けられた携帯電話であっても良い。または、一体型の携帯電話や、一体型の本体部に操作部が収納されているスライド式の携帯電話であっても良い。
また、電子機器としては、携帯電話に限定するものではなく、表示パネルを備えた電子機器であれば良い。
例えば、カーナビゲーションシステム用の表示装置や、ＰＤＡ（Personal Digital Assistants）、モバイルコンピューター、デジタルカメラ、デジタルビデオカメラ、車載機器、オーディオ機器などの各種電子機器に用いることができる。
【００８３】
なお、本発明は上述した実施形態に限定されず、上述した実施形態に種々の変更や改良などを加えることが可能である。変形例を以下に述べる。
【００８４】
（変形例１）
図１７は、変形例１に係る複合位相差板における偏光領域態様を示す平面図であり、図７（図２０）に対応している。
上記各実施形態では、１つの画素Ｐ単位で、複合位相差板の各偏光領域、およびセグメント電極や、コモン電極を配置していたが、これに限定するものではなく、カラー画素Ｃ単位で、各偏光領域、および各電極を形成することであっても良い。換言すれば、上記各実施形態における画素Ｐをカラー画素Ｃと読み替えても良い。
ここでは、上記各実施形態における説明と重複する部分は省略し、また、同一の構成部位については同一の番号を附して説明する。
【００８５】
図１７には、カラー画素Ｃ単位で、複合位相差板６６の偏光領域ｅ，ｆを配置した態様が示されている。なお、実施形態１の複合位相差板６と区別するために、本変形例の複合位相差板の附番を複合位相差板６６としている。また、構成を解り易くするために、表示パネル７０と複合位相差板６６とを離して描いているが実際は重なっている。
まず、Ｘ軸方向において、複合位相差板６６の偏光領域ｅおよび偏光領域ｆは、カラー画素行ごとに、隣り合う２つのカラー画素Ｃを跨いで交互に配置されている。例えば、カラー画素行Ｃ11（画素行Ｐ11）においては、カラー画素Ｃ11とカラー画素Ｃ12とを跨いで、当該画素と略同じ正方形状の偏光領域ｆが形成されている。また、当該偏光領域の右隣には、カラー画素Ｃ12とカラー画素Ｃ13とを跨いで、同様な正方形状の偏光領域ｅが形成される。以降、カラー画素行Ｃ11の延在方向に向かって、偏光領域ｆと偏光領域ｅとが交互に配置される。
【００８６】
また、Ｙ軸方向においても、偏光領域ｅと偏光領域ｆとが、隣り合う２つのカラー画素Ｃを跨いで交互に配置されている。
また、図示は省略しているが、セグメント電極、およびコモン電極も、カラー画素Ｃ単位で形成されている。
この構成であっても、実施形態１の表示方法により、縦横表示それぞれにおいて、２Ｄ表示と３Ｄ表示とを行うことができる。
従って、縦横表示それぞれにおいて、２Ｄ表示と高品位な３Ｄ表示とを実現した表示装置を提供することができる。
【００８７】
（変形例２）
図１８は、変形例２に係る表示装置の概略構成を示す斜視図であり、図２に対応している。上記各実施形態では、図２の積層構造により表示装置が構成されているものとして説明したが、これに限定するものではなく、異なる積層構造であっても良い。
ここでは、上記各実施形態における説明と重複する部分は省略し、また、同一の構成部位については同一の番号を附して説明する。
【００８８】
変形例２の表示装置１１０は、バックライト６０の上に、視差バリア部８０と、表示パネル７０とを、この順番で重ねた構成となっている。換言すれば、視差バリア部８０と表示パネル７０との積層順が、図２の積層構造の反対になっている。
詳しくは、バックライト６０の上に、バリア偏光板９と、バリアパネル８と、複合位相差板６と、表示パネル７０とが、この順番で重ねられている。なお、この積層順以外は、実施形態１での説明と略同様である。
この構成であっても、実施形態１の表示方法により、縦横表示それぞれにおいて、２Ｄ表示と３Ｄ表示とを行うことができる。
従って、縦横表示それぞれにおいて、２Ｄ表示と高品位な３Ｄ表示とを実現した表示装置を提供することができる。
【符号の説明】
【００８９】
３…液晶パネル、４…入射側偏光板、５…出射側偏光板、６…複合位相差板、７ａ…第１基板としての素子基板、７ｂ…第２基板としての対向基板、８…バリアパネル、９…バリア偏光板、７０…表示パネル、８０…視差バリア部、８０ｔ…縦視差バリア、１００…表示装置、４００…電子機器としての携帯電話、５００…電子機器としてのＭＭＰ、Ｃ…カラー画素、Ｐ…画素、Ｓ１…第１セグメント電極としてのセグメント電極、Ｓ２…第２セグメント電極としてのセグメント電極、Ｃ１…第１コモン電極としてのコモン電極、Ｃ２…第２コモン電極としてのコモン電極、ｅ…第１偏光領域としての偏光領域、ｆ…第２偏光領域としての偏光領域、Ｖ…表示領域。
【図１】
2011017825.tif 000003
【図２】
2011017825.tif 000004
【図３】
2011017825.tif 000005
【図４】
2011017825.tif 000006
【図５】
2011017825.tif 000007
【図６】
2011017825.tif 000008
【図７】
2011017825.tif 000009
【図８】
2011017825.tif 000010
【図９】
2011017825.tif 000011
【図１０】
2011017825.tif 000012
【図１１】
2011017825.tif 000013
【図１２】
2011017825.tif 000014
【図１３】
2011017825.tif 000015
【図１４】
2011017825.tif 000016
【図１５】
2011017825.tif 000017
【図１６】
2011017825.tif 000018
【図１７】
2011017825.tif 000019
【図１８】
2011017825.tif 000020
【図１９】
2011017825.tif 000021
【図２０】
2011017825.tif 000022